(57)【要約】【課題】  換気等の目的で引き戸を部分開放し、それ以上の開放を規制する引き戸補助錠を提供すること。【解決手段】  引き戸の召し合わせ付近に固着した挿入孔と、挿入孔に連結した開閉方向と並行に形成されたスライド溝とよりなる固定部と、固定部に挿入しスライド可能な引き戸内側レール面に突出する可動部とより構成することにより、外側引き戸をレールより外すことを防止しながら開放規制を行う。【選択図】図７
2010059757.tif 000002
【特許請求の範囲】
【請求項１】
戸枠上のレールに取り付けられた引き戸に設置され、換気などのために引き戸の開放を規制する補助錠において、
外側引き戸の召し合わせ側の内側表面に固着された、固定部と可動部であって、前記固定部は召し合わせ側の端に挿入孔を有する水平なスライド溝が形成されていて、前記可動部は、柱状で、召し合わせ側の内側框に突出する長手方向の長さを有し、一端は操作端で、他端が前記スライド溝と嵌合した首部と前記挿入孔より挿入可能な挿入端で構成されることを特徴とする引き戸用補助錠。
【請求項２】
戸枠上のレールに取り付けられた引き戸に設置され、換気などのために引き戸の開放を規制する補助錠において、
前記可動部は、内側レール面に突出する長手方向の長さを有することを特徴とする請求項１記載の引き戸用補助錠。
【請求項３】
戸枠上のレールに取り付けられた引き戸に設置され、換気などのために引き戸の開放を規制する補助錠において、
前記可動部はネジ構造となっていて前記首部の厚みが調整可能であることを特徴とする請求項１及び２記載の引き戸用補助錠。
【請求項４】
戸枠上のレールに取り付けられた引き戸に設置され、換気などのために引き戸の開放を規制する補助錠において、
前記首部の回転軸断面が長短よりなる矩形であり、前記スライド溝の幅が戸枠側端より中途位置まで前記短辺と等しい長さであり、前記中途位置より召し合わせ側端までが前記長辺と等しい長さなっていることを特徴とする請求項１及び２記載の引き戸用補助錠。
【請求項５】
戸枠上のレールに取り付けられた引き戸に設置され、換気などのために引き戸の開放を規制する補助錠において、
前記可動部の厚みは、前記固定部の厚みにほぼ等しい矩形柱状であり、前記挿入孔に嵌合格納することを特徴とする請求項１及び２記載の引き戸用補助錠。
【発明の詳細な説明】
【技術分野】
【０００１】
本発明は、引き戸の縁の各々に設け、換気等の目的で引き戸を部分開放し、それ以上の開放を規制する補助錠の構造に関する。
【背景技術】
【０００２】
従来、防犯に配慮しながら換気などを行うため、引き戸を少しだけ開けた状態で、それ以上の引き戸の開放を規制するための各種の補助錠が提案されている。
【０００３】
これら補助錠の一部では、施錠時、鍵は用いず系止部を手で移動又は回転させることによって施錠する方法となっているため、屋外側よりわずかの開放部を利用して工具などを差し込み操作することによって開錠が可能となるなどの問題があった。
【０００４】
別の補助錠の一部では、引き戸の開閉方向の規制のみを行う方法となっているため、屋外側より外側引き戸を持ち上げて引き戸レールより外すことによって開錠が可能となるなどの問題があった。
【発明の開示】
【発明が解決しようとする課題】
【０００５】
本発明の目的は、上記問題を解決し、引き戸の開放規制をより安全に行うことができる補助錠を提供することである。
【課題を解決するための手段】
【０００６】
この目的を達成するために、本出願の請求項１記載の発明は、戸枠上のレールに取り付けられた引き戸に設置され、換気などのために引き戸の開放を規制する補助錠において、外側引き戸の召し合わせ側の内側表面に固着された、固定部と可動部であって、前記固定部は召し合わせ側の端に挿入孔を有する水平なスライド溝が形成されていて、前記可動部は、柱状で、召し合わせ側の内側框に突出する長手方向の長さを有し、一端は操作端で、他端が前記スライド溝と嵌合した首部と前記挿入孔より挿入可能な挿入端で構成されることを特徴とする。
【０００７】
請求項２記載の発明は、請求項１記載の引き戸用補助錠において、前記可動部は、内側レール面に突出する長手方向の長さを有することを特徴とする。
【０００８】
請求項３記載の発明は、請求項１及び２記載の引き戸用補助錠において、前記可動部はネジ構造となっていて前記首部の厚みが調整可能であることを特徴とする。
【０００９】
請求項４記載の発明は、請求項１及び２記載の引き戸用補助錠において、前記首部の回転軸断面が長短よりなる矩形であり、前記スライド溝の幅が戸枠側端より中途位置まで前記短辺と等しい長さであり、前記中途位置より召し合わせ側端までが前記長辺と等しい長さなっていることを特徴とする。
【００１０】
請求項５記載の発明は、請求項１及び２記載の引き戸用補助錠において、前記可動部の厚みは、前記固定部の厚みにほぼ等しい矩形柱状であり、前記挿入孔に嵌合格納することを特徴とする。
【発明の効果】
【００１１】
以上説明したように、請求項１に記載の発明によれば、、本引き戸用補助錠を装着することにより、引き戸の開放幅を規制するため、安全に換気を行うことが可能となる。
【００１２】
請求項２に記載の発明によれば、、本引き戸用補助錠を装着することにより、外側引き戸を持ち上げて外側レールより外すことを防止することができるため、より安全に換気を行うことが可能となる。
【００１３】
請求項３に記載の発明によれば、ネジにより可動部をスライド溝の任意の位置で固定することによって引き戸の開放幅を調節することが可能となる。
【００１４】
請求項４に記載の発明によれば、スライド溝の異なる幅の長短嵌合位置に対応して引き戸の開放幅を段階的に調節することが可能となる。
【００１５】
請求項５に記載の発明によれば、可動部を挿入孔に格納することが可能となり操作及び管理が容易となる。
【発明を実施するための最良の形態】
【００１６】
以下、図面を参照しながら本発明の実施形態について説明する。図１は、本発明の実施形態の対象となる引き戸構造を屋内側より見た斜視図である。引き戸は、戸枠１００と、内側引き戸２１０と、外側引き戸２２０とよりなっている。戸枠１００には、内側レール１１０と、外側レール１２０とが形成されている。内側引き戸２１０、外側引き戸２２０は、各々、内側ガラス２１１、外側ガラス２２１と内側框２１２、外側框２２２とよりなっている。召し合わせ２３０は、内側引き戸２１０と、外側引き戸２２０とが閉じられた状態で重なる部分であり、召し合わせ２３０側の内側框２１２と外側框２２２には、クレセント錠（図示せず）が設置されている。
【００１７】
図２は、第一実施形態の引き戸用補助錠を示す斜視図である。第一実施形態の引き戸用補助錠は、固定部３１０と、可動部３２０とよりなっている。固定部３１０には、挿入孔３１１と、スライド溝３１２とが形成されている。固定部３１０の厚みは、内側引き戸２１０と、外側引き戸２２０とが重なり合った時形成する隙間より薄い寸法となっている。可動部３２０は、円柱状であり、一端が操作端３２１、他端に首部３２２および挿入端３２３が形成されていて、長手方向の長さは、施錠時、操作端３２１が内側レール１１０面に突出する長さを有している。可動部３２０は、挿入端３２３の直径がスライド溝３１２の幅より広いため挿入孔３１１より挿入できるがスライド溝３１２上より脱着することはできない。
【００１８】
図３は、引き戸が閉じられた状態における、第一実施形態の引き戸用補助錠が設置され施錠された状態を示す要部斜視図である。固定部３１０は、挿入孔３１１が召し合わせ２３０側となり、引き戸開閉方向とスライド溝３１２の長手方向とが並行となるように両面テープ、ネジ止めなどによって召し合わせ２３０側の内側框２１２に接近し、且つ、挿入孔３１１より挿入されスライド溝３１２上にある可動部３２０の操作端３２１が内側レール１１０下端に接近するように、外側框２２２の内側表面に固着されている。
【００１９】
図４は、引き戸が閉じられた状態における、第一実施形態の引き戸用補助錠が設置され施錠された状態を示す要部A―A断面図である。操作端３２１が内側レール１１０下端に接近し、且つ、内側レール１１０面に突出するように設置されている。
【００２０】
図５は、引き戸が開放規制された状態における、第一実施形態の引き戸用補助錠が設置され施錠された状態を示す要部斜視図である。内側引き戸２１０は、可動部３２０に妨げられて開放が規制されている。また、内側引き戸２１０が挿入孔３１１（図示せず）を覆っているため、屋外側より手等を入れる空間を確保しながら、挿入孔３１１を露出させ可動部３２０を外すことは不可能である。さらに、操作端３２１は内側レール１１０に接近しながら突出しているため外側引き戸２２０を持ち上げて外側レール１２０（図示せず）より外すことも不可能である。
【００２１】
第一実施形態の引き戸用補助錠の固定部３１０は、可動部３２０の操作端３２１が内側レール１１０下端に接近し、且つ、突出するような位置となっているが、開放規制のみを目的として、固定部３１０を内側レール１１０下端に接近しない位置（例えば、外側ガラス２２１の召し合わせ２３０側の内側表面）に固着し、操作端３２１が内側引き戸２１０の召し合わせ２３０側の内側框２１２にのみ突出する長手方向の長さの可動部３２０として実施してもよい。
【００２２】
図６は、第二実施形態の引き戸用補助錠を示す斜視図である。第二実施形態の説明においては、第一実施形態と同一の機構は、同一の符号を付けて説明を省略する。第二実施形態の引き戸用補助錠は、固定部３１０と、可動部４２０とよりなっている。可動部４２０は、円柱状であり、長手方向の長さは、施錠時、操作端４２１が内側レール１１０面に突出する長さを有していて、一端が操作端４２１、他端に首部４２２および挿入端４２３が形成されている。首部４２２と操作端４２１側はネジ構造となっており、首部４２２の厚みが調整可能である。挿入孔３１１より挿入された可動部４２０の挿入端４２３の直径は、スライド溝３１２の幅より広いためスライド溝３１２上より脱着することはできない。
【００２３】
図７は、引き戸が開放規制された状態における、第二実施形態の引き戸用補助錠が設置され施錠された状態を示す要部斜視図である。第二実施形態の引き戸用補助錠では、第一実施形態の機能に加えて、可動部４２０をスライド溝３１２の任意の位置でネジにより固定することにより、引き戸の開放規制幅を調整することが可能である。内側引き戸２１０は、可動部４２０に妨げられて開放が規制されている。また、内側引き戸２１０が挿入孔３１１（図示せず）を覆っているため、屋外側より手等を入れる空間を確保しながら、挿入孔３１１を露出させ可動部４２０を外すことは不可能である。さらに、操作端４２１は内側レール１１０下端に接近しながら突出しているため外側引き戸２２０を持ち上げて外側レール１２０（図示せず）より外すことも不可能である。
【００２４】
第一及び第二実施形態の引き戸用補助錠の可動部３２０、４２０の軸断面は、円形状であるが、首部３２２、４２２を除き、可動部３２０、４２０の一部又は全部が、それ以外の形状、たとえば、三角柱、四角柱、その他の多角形柱状としてよい。たとえば、可動部４２０のネジ締めを容易とするため挿入端４２３の軸断面は四角として、首部４２２は円形、それ以外は円形又は六角形等として実施してもよい。
【００２５】
さらに、第二実施形態の可動部４２０のネジ締めを、操作端４２１に特殊形状の凹凸部を形成し、予め用意した前記凹凸部に嵌合する工具を用いて行うことにより、さらに防犯性を高めることができる。
【００２６】
図８は、第三実施形態の引き戸用補助錠を示す斜視図である。第三実施形態の引き戸用補助錠は、固定部５１０と、可動部５２０とよりなっている。固定部５１０には、挿入孔５１１と、スライド溝５１２と、スライド溝５１３とが形成されている。可動部５２０は、四角柱状であり、長手方向の長さは、施錠時、操作端５２１が内側レール１１０面に突出する長さを有していて、一端が操作端５２１、他端に首部５２２および挿入端５２３が形成されている。挿入孔５１１より挿入された可動部５２０の挿入端５２３の辺長は、スライド溝５１２、５１３いずれの幅より広いためスライド溝５１２，５１３上のいずれよりも脱着することは不可能である。首部５２２の回転軸断面は矩形であり、長辺の長さはスライド溝５１２に嵌合し、短辺の長さはスライド溝５１３に嵌合する。このため、可動部５２０の挿入位置を軸中心に９０度回転させることによってスライド溝５１２、５１３のいずれかと嵌合するように選択することができる。
【００２７】
図９は、引き戸が開放規制された状態における、第三実施形態の引き戸用補助錠が設置され施錠された状態を示す要部斜視図である。可動部５２０は、スライド溝５１２（図示せず）に嵌合するように挿入されたため、内側引き戸２１０は、可動部５２０に妨げられて、スライド溝５１２の左端位置で、開放が規制されている。また、内側引き戸２１０が挿入孔５１１（図示せず）を覆っているため、屋外側より手等を入れる空間を確保しながら、挿入孔５１１を露出させ可動部５２０を外すことは不可能である。さらに、操作端５２１は内側レール１１０下端に接近しながら突出しているため外側引き戸２２０を持ち上げて外側レール１２０（図示せず）より外すことも不可能である。
【００２８】
第三実施形態の引き戸用補助錠においては、可動部５２０の首部５２２の断面は、矩形で、固定部５１０には、各々嵌合する２本の異なる幅のスライド溝５１２、５１３が形成されているが、他の形態として、首部の軸断面が、相対する辺は並行で長さは等しく、且つ隣合う辺の長さは異なるような六角形として、各々嵌合する３本の異なる幅のスライド溝よりなる形状として実施してもよい。
【００２９】
図１０は、第四実施形態の引き戸用補助錠を示す斜視図である。第四実施形態の引き戸用補助錠は、固定部６１０と、可動部６２０とよりなっている。固定部６１０には、挿入孔６１１と、スライド溝６１２とが形成されている。可動部６２０は、矩形柱状であり、長手方向の長さは、施錠時、操作端６２１が内側レール１１０面に突出する長さを有していて、一端が操作端６２１、他端に首部６２２および挿入端６２３が形成されている。挿入孔６１１より挿入された可動部６２０は、挿入端６２３の矩形長辺がスライド溝６１２の幅より広いためスライド溝６１２上より脱着することはできない。
【００３０】
図１１は、引き戸が開放規制された状態における、第四実施形態の引き戸用補助錠が設置され施錠された状態を示す要部斜視図である。内側引き戸２１０は、可動部６２０に妨げられて開放が規制されている。また、内側引き戸２１０が挿入孔６１１（図示せず）を覆っているため、屋外側より手等を入れる空間を確保しながら、挿入孔６１１を露出させ可動部６２０を外すことは不可能である。さらに、操作端６２１は内側レール１１０下端に接近しながら突出しているため外側引き戸２２０を持ち上げて外側レール１２０（図示せず）より外すことも不可能である。
【００３１】
図１２は、引き戸が閉じられた状態における、第四実施形態の引き戸用補助錠が設置され開錠された状態を示す要部斜視図である。可動部６２０の外形は、挿入孔６１１と嵌合するように形成されているため、未使用時、可動部６２０は、挿入孔６１１に格納した状態で引き戸の開閉を行うことが可能となり、使用時は、スライド溝６１２より指を掛けて取り出すことができるため、可動部６２０の操作管理を容易とすることができる。
【図面の簡単な説明】
【００３２】
【図１】本発明の実施形態の対象となる引き戸構造を屋内側より見た斜視図である。
【図２】第一実施形態の引き戸用補助錠を示す斜視図である。
【図３】引き戸が閉じられた状態における、第一実施形態の引き戸用補助錠が設置され施錠された状態を示す要部斜視図である。
【図４】引き戸が閉じられた状態における、第一実施形態の引き戸用補助錠が設置され施錠された状態を示す要部A―A断面図である。
【図５】引き戸が開放規制された状態における、第一実施形態の引き戸用補助錠が設置され施錠された状態を示す要部斜視図である。
【図６】第二実施形態の引き戸用補助錠を示す斜視図である。
【図７】引き戸が開放規制された状態における、第二実施形態の引き戸用補助錠が設置され施錠された状態を示す要部斜視図である。
【図８】第三実施形態の引き戸用補助錠を示す斜視図である。
【図９】引き戸が開放規制された状態における、第三実施形態の引き戸用補助錠が設置され施錠された状態を示す要部斜視図である。
【図１０】第四実施形態の引き戸用補助錠を示す斜視図である。
【図１１】引き戸が開放規制された状態における、第四実施形態の引き戸用補助錠が設置され施錠された状態を示す要部斜視図である。
【図１２】引き戸が閉じられた状態における、第四実施形態の引き戸用補助錠が設置され開錠された状態を示す要部斜視図である。
【符号の説明】
【００３３】
１００  戸枠
１１０  内側レール
１２０  外側レール
２１０  内側引き戸
２１１  内側ガラス
２１２  内側框
２２０  外側引き戸
２２１  外側ガラス
２２２  外側框
２３０  召し合わせ
３１０  固定部
３１１  挿入孔
３１２  スライド溝
３２０  可動部
３２１  操作端
３２２  首部
３２３  挿入端
４２０  可動部
４２１  操作端
４２２  首部
４２３  挿入端
５１０  固定部
５１１  挿入孔
５１２  スライド溝
５１３  スライド溝
５２０  可動部
５２１  操作端
５２２  首部
５２３  挿入端
６１０  固定部
６１１  挿入孔
６１２  スライド溝
６２０  可動部
６２１  操作端
６２２  首部
６２３  挿入端
【図１】
2010059757.tif 000003
【図２】
2010059757.tif 000004
【図３】
2010059757.tif 000005
【図４】
2010059757.tif 000006
【図５】
2010059757.tif 000007
【図６】
2010059757.tif 000008
【図７】
2010059757.tif 000009
【図８】
2010059757.tif 000010
【図９】
2010059757.tif 000011
【図１０】
2010059757.tif 000012
【図１１】
2010059757.tif 000013
【図１２】
2010059757.tif 000014